(57)【要約】【課題】工具なしで簡単に組み立て、また、分解できるベッドに関するものである。【解決手段】本発明のベッドは、脚、長フレーム、短フレーム、すのこという構成部材である。脚は底辺がフラットであり、上面は切り込みが施されている。脚は左右対称である。長フレームには、すのこを乗せる受け桟がある。又、長フレーム、短フレームには、両端部に下側の切り込み加工が施されている。それらを、組み合わせると、構成部材どうしが互いに支え合うことで固定されるという構造である。【選択図】図１
2018000886.tif 000002
【特許請求の範囲】
【請求項１】
脚、長フレーム、短フレーム、すのこからなるベッドにおいて、脚は底辺がフラットであり、上面は切り込み加工が施されてあり、脚は左右対称であって、長フレームには、すのこを乗せる受け桟があり、長フレーム、短フレームの両端部には、脚の板厚みと同じ幅で下側に切り込み加工が施されてあって、ベッドの四隅において、短フレームの切り込み部と長フレームの切り込み部が脚の上部で直角を構成するように組み合わせ、短フレームと長フレームで構成される四角形にすのこを配置することを特徴とするベッドである。
【発明の詳細な説明】
【技術分野】
【０００１】本発明は、工具なしで簡単に組み立て、また、分解できるベッドに関するものである。
【背景技術】
【０００２】従来のベッドの主だったものは、ネジで固定する方式である。構成部材も多く、組み立てや分解には、ネジ回し、又は、六角レンチ等の工具が必要であり、組み立ても難しく、組み立て時間も２０〜３０分かかる。
【発明の概要】
【発明が解決しようとする課題】
【０００３】工具なしで簡単に組み立て、又、分解できるベッドが求められていた。
【課題を解決するための手段】
【０００４】本発明のベッドの構成部材は、脚、長フレーム、短フレーム、すのこである。脚、長フレーム、短フレームは、すべて同じ板厚である。【０００５】脚は底辺がフラットであり、上面は切り込み加工が施されている。脚は左右対称である。【０００６】長フレームは、両端部分に、脚の板厚みと同じ幅で下側に切り込み加工が施されている。下側切り込みの開始位置は、両端部から板厚分を差し引いた位置とする。長フレームには、すのこを乗せる受け桟がある。【０００７】短フレームは、両端から板厚分だけ内側の位置から、脚の板厚みと同じ幅で下側に切り込み加工が施されている。【０００８】組み合わせるには、まず、脚に短フレームの切り込み部を落とし込む。
次に長フレームの切り込み部を脚に落とし込む。最後に、短フレームと長フレームで構成される四角形にすのこを落とし込む。短フレームは長フレームに支えられ、長フレームは、すのこによって支えられる。このように、構成部材どうしが互いに支え合うことで、ベッドが組み立てられるという構造である。
【発明の効果】
【０００９】構成部材が少なく、組み合わせていくだけで、組み立てが簡単である。
工具も不要で、組み立て時間も短くて済む。
【図面の簡単な説明】
【００１０】
【図１】ベッドの全体斜視図
【図２】ベッドの構成部材
【図３】脚４、短フレーム２、長フレーム３の組合せ図
【図４】コーナー部の組み合わせ拡大図
【図５】ベッド全体のフレーム構造図
【発明を実施するための形態】
【実施例１】
【００１１】以下図面によって本発明の実施例を説明する。
図３に示す短フレーム２の下側の切り込みを脚４の切り込みに乗せる。
そのままだと、短フレーム２は内側に倒れ込む。次に、長フレーム３の下側切り込みを脚４に、短フレーム２と直角に乗せる。【００１２】図４で示すように短フレーム２は長フレーム３に支えられているので内側に倒れないが、長フレーム３は内側に倒れ込む。【００１３】図５のフレーム構造にすのこを落とし込むことによって、全体図１となり、長フレーム３は、すのこによって支えられる。このように構成部材が互いに支えあうことによって、ベッド全体が固定形成される。
【符号の説明】
【００１４】１  すのこ
２  短フレーム
３  長フレーム
４  脚
５  すのこ受け桟
【図１】
2018000886.tif 000003
【図２】
2018000886.tif 000004
【図３】
2018000886.tif 000005
【図４】
2018000886.tif 000006
【図５】
2018000886.tif 000007
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
脚、長フレーム、短フレーム、補強材（すのこや板等）からなるベッドにおいて、脚は底辺がフラットであり、上面は長フレーム、短フレームの外側への転倒を防ぐ突起が施されており、脚は左右対称であって、長フレームには補強材を乗せる受け桟があり、長フレーム、短フレームの両端部においては、脚の板厚と同じ幅で下側に切り込み加工が施されてあって、ベッドの四隅において、短フレームの切り込み部と長フレームの切り込み部が脚の突起の内側上部で直角を構成するように組み合わせ、短フレームと長フレームで構成される四角形に補強材を設置することを特徴とするベッドである。
【手続補正２】
【補正対象書類名】明細書
【補正対象項目名】０００４
【補正方法】変更
【補正の内容】
【０００４】本発明のベッドの構成部材は、脚、長フレーム、短フレーム、補強材である。脚、長フレーム、短フレームは、すべて同じ板厚である。
【手続補正３】
【補正対象書類名】明細書
【補正対象項目名】０００５
【補正方法】変更
【補正の内容】
【０００５】脚は底辺がフラットであり、上面は長フレーム、短フレームの外側への転倒を防ぐ突起が施されている。脚は左右対称である。
【手続補正４】
【補正対象書類名】明細書
【補正対象項目名】０００６
【補正方法】変更
【補正の内容】
【０００６】長フレームは、両端部分に、脚の板厚みと同じ幅で下側に切り込み加工が施されている。下側切り込みの開始位置は、両端部から板厚分を差し引いた位置とする。長フレームには補強材を乗せる受け桟がある。
【手続補正５】
【補正対象書類名】明細書
【補正対象項目名】０００８
【補正方法】変更
【補正の内容】
【０００８】組み合わせるには、まず、脚に短フレームの切り込み部を落とし込む。次に長フレームの切り込み部を脚に落とし込む。最後に、短フレームと長フレームで構成される四角形に補強材を落とし込む。短フレームの内側への転倒は長フレームに支えられ、長フレームの内側への転倒は、補強材によって支えられる。更に、長フレーム、短フレームの外側への転倒については、脚の突起により支えられる。このように、構成部材どうしが互いに支え合うことで、ベッドが組み立てられるという構造である。
【手続補正６】
【補正対象書類名】明細書
【補正対象項目名】００１１
【補正方法】変更
【補正の内容】
【００１１】以下図面によって本発明の実施例を説明する。
図３に示す短フレーム２の下側の切り込みを脚４の突起内側に乗せる。
そのままだと、短フレーム２は内側に倒れ込む。次に、長フレーム３の下側切り込みを脚４の突起内側に、短フレーム２と直角に乗せる。
【手続補正７】
【補正対象書類名】明細書
【補正対象項目名】００１３
【補正方法】変更
【補正の内容】
【００１３】図５のフレーム構造に補強材を落とし込むことによって、全体図１となり、長フレーム３は、補強材によって支えられる。また、外側へは脚の突起により支えられる。このように構成部材が互いに支えあうことによって、ベッド全体が固定形成される。
【手続補正８】
【補正対象書類名】明細書
【補正対象項目名】００１４
【補正方法】変更
【補正の内容】
【００１４】１  補強材（すのこや板等）
２  短フレーム
３  長フレーム
４  脚
５  補強材受け桟